(57)【要約】【課題】ユーザが希望するコマーシャルに対して合成を行うことができるデジタル放送受信装置を提供する。【解決手段】コマーシャルがＪ番目の条件を満足する場合、合成部２７は、Ｊ番目の条件に割り当てられた画像データを記憶部２６から読み出し、更に、同期信号が検出されている場合は、合成部２７は、記憶部２６から読み出された画像データで表現される画像を、復号部２２から出力された映像信号で表現される映像に合成し、出力する。【選択図】図１２
2007228343.tif 000002
【特許請求の範囲】
【請求項１】
デジタル放送によって送信されたコンテンツのデータたるデジタル信号系列を受信する受信部と、
前記受信したデジタル信号系列からコンテンツ情報、音声信号及び映像信号を復号する復号部と、
画像データを記憶する記憶部と、
前記記憶部に記憶された画像データを読み出し、該画像データで表現される画像を前記映像信号で表現される映像に合成する合成部と、
前記受信部、前記復号部、前記記憶部及び前記合成部を制御する制御部と
を備えたデジタル放送受信装置において、
前記記憶部は、更に、前記送信されたコンテンツが画像を合成するコマーシャルであるか否かを判断するための条件及び該条件毎に割り当てられた画像データを指定する情報を記憶し、
前記制御部は、前記送信されたコンテンツが前記記憶部に記憶された条件を満足するか否かを判断し、
前記合成部は、前記制御部が前記送信されたコンテンツが前記記憶部に記憶された条件の少なくとも１つを満足すると判断した際に、前記記憶部に記憶された満足する条件に割り当てられた画像データを指定する情報によって指定された画像データを前記記憶部から読み出し、該画像データで表現される画像を前記映像信号で表現される映像に合成することを特徴とするデジタル放送受信装置。
【請求項２】
前記制御部は、前記コンテンツ情報を使用して、前記送信されたコンテンツが前記記憶部に記憶された条件を満足するか否かを判断することを特徴とする請求項１に記載のデジタル放送受信装置。
【請求項３】
前記制御部は、前記受信したデジタル信号系列から同期信号を検出し、
前記合成部は、前記制御部が前記送信されたコンテンツが前記記憶部に記憶された条件の少なくとも１つを満足すると判断した際に、前記記憶部に記憶された満足する条件に割り当てられた画像データを指定する情報によって指定された画像データを前記記憶部から読み出し、前記同期信号を基準にして決定される期間においてのみ、該画像データで表現される画像を前記映像信号で表現される映像に合成することを特徴とする請求項１又は２に記載のデジタル放送受信装置。
【請求項４】
前記制御部は、前記受信したデジタル信号系列から同期信号を検出し、
前記合成部は、前記制御部が前記送信されたコンテンツが前記記憶部に記憶された条件の少なくとも１つを満足すると判断した際に、前記記憶部に記憶された満足する条件に割り当てられた画像データを指定する情報によって指定された画像データを前記記憶部から読み出し、前記制御部が前記同期信号を検出している期間においてのみ、該画像データで表現される画像を前記映像信号で表現される映像に合成することを特徴とする請求項１又は２に記載のデジタル放送受信装置。
【請求項５】
前記条件は、コマーシャルによって宣伝される会社及び内容の種類並びに放送時刻を指定することを特徴とする請求項１乃至４の何れか１項に記載のデジタル放送受信装置。
【発明の詳細な説明】
【技術分野】
【０００１】
本発明は、デジタル放送受信装置に関し、詳しくは、電波を使用して放送局から送信されるデジタル放送を受信するデジタル放送受信装置及びインターネットを介してサーバから送信されるデジタル放送を受信するデジタル放送受信装置に関する。
【背景技術】
【０００２】
受信されたデジタル放送の映像の一部に画像を合成して楽しみたいというニーズがある。特に、ドラマやニュースといった本番組に対して画像の合成を行うと、その内容を把握できなくなってしまうおそれがあるため、コマーシャルに対して画像の合成を行いたいというニーズが強い。コマーシャルの中には、その映像の一部を取り替えることで、ユーザが実際に参加しているかのごとき感覚を得られるものがある。例えば、登場人物の顔写真をユーザの顔写真と入れ換えると、ユーザはあたかも自分がそのコマーシャルの主人公となったかのような気分を味わうことができる。
【０００３】
これを実現するためには、画像を合成する技術が必要になる。即ち、図１３（ｂ）に示すように、図１３（ａ）に示すオリジナルの映像に対して他の画像を合成する技術が必要となる。このような技術は、特許文献１、２、３に開示されている。
【０００４】
【特許文献１】特開平６−２５３２３２号公報
【特許文献２】特開平６−２９５３３９号公報
【特許文献３】特開平７−９５４９３号公報
【発明の開示】
【発明が解決しようとする課題】
【０００５】
しかし、特許文献１、２、３に開示されている技術では、合成するコマーシャルを指定することができないため、ユーザが希望するコマーシャルに対してのみ合成を行うことは難しかった。
【０００６】
本発明は、上述した点に鑑みてなされたものであり、合成するコマーシャルを指定することで、ユーザが希望するコマーシャルに対して合成を行うことができるデジタル放送受信装置を提供することを目的とする。
【課題を解決するための手段】
【０００７】
請求項１に記載のデジタル放送受信装置は、デジタル放送によって送信されたコンテンツのデータたるデジタル信号系列を受信する受信部と、前記受信したデジタル信号系列からコンテンツ情報、音声信号及び映像信号を復号する復号部と、画像データを記憶する記憶部と、前記記憶部に記憶された画像データを読み出し、該画像データで表現される画像を前記映像信号で表現される映像に合成する合成部と、前記受信部、前記復号部、前記記憶部及び前記合成部を制御する制御部とを備えたデジタル放送受信装置において、前記記憶部は、更に、前記送信されたコンテンツが画像を合成するコマーシャルであるか否かを判断するための条件及び該条件毎に割り当てられた画像データを指定する情報を記憶し、前記制御部は、前記送信されたコンテンツが前記記憶部に記憶された条件を満足するか否かを判断し、前記合成部は、前記制御部が前記送信されたコンテンツが前記記憶部に記憶された条件の少なくとも１つを満足すると判断した際に、前記記憶部に記憶された満足する条件に割り当てられた画像データを指定する情報によって指定された画像データを前記記憶部から読み出し、該画像データで表現される画像を前記映像信号で表現される映像に合成することを特徴とする。
【０００８】
請求項１に記載のデジタル放送受信装置によれば、予め設定した条件を満足するコマーシャルに対して画像を合成することができる。
【０００９】
請求項２に記載のデジタル放送受信装置は、請求項１において、前記制御部は、前記コンテンツ情報を使用して、前記送信されたコンテンツが前記記憶部に記憶された条件を満足するか否かを判断することを特徴とする。
【００１０】
請求項２に記載のデジタル放送受信装置によれば、コンテンツ情報を使用して、予め設定した条件の判断を行い、条件を満足するコマーシャルに対して画像を合成することができる。
【００１１】
請求項３に記載のデジタル放送受信装置は、請求項１又は２において、前記制御部は、前記受信したデジタル信号系列から同期信号を検出し、前記合成部は、前記制御部が前記送信されたコンテンツが前記記憶部に記憶された条件の少なくとも１つを満足すると判断した際に、前記記憶部に記憶された満足する条件に割り当てられた画像データを指定する情報によって指定された画像データを前記記憶部から読み出し、前記同期信号を基準にして決定される期間においてのみ、該画像データで表現される画像を前記映像信号で表現される映像に合成することを特徴とする。
【００１２】
請求項３に記載のデジタル放送受信装置によれば、同期信号を基準にして、予め設定した条件を満足するコマーシャルに対して画像を合成することができる。
【００１３】
請求項４に記載のデジタル放送受信装置は、請求項１又は２において、前記制御部は、前記受信したデジタル信号系列から同期信号を検出し、前記合成部は、前記制御部が前記送信されたコンテンツが前記記憶部に記憶された条件の少なくとも１つを満足すると判断した際に、前記記憶部に記憶された満足する条件に割り当てられた画像データを指定する情報によって指定された画像データを前記記憶部から読み出し、前記制御部が前記同期信号を検出している期間においてのみ、該画像データで表現される画像を前記映像信号で表現される映像に合成することを特徴とする。
【００１４】
請求項４に記載のデジタル放送受信装置によれば、同期信号が検出されている期間においてのみ、予め設定した条件を満足するコマーシャルに対して画像を合成することができる。
【００１５】
請求項５に記載のデジタル放送受信装置は、請求項１乃至４の何れか１項において、前記条件は、コマーシャルによって宣伝される会社及び内容の種類並びに放送時刻を指定することを特徴とする。
【００１６】
請求項５に記載のデジタル放送受信装置によれば、予め設定した、宣伝される会社及び内容の種類並びに放送時刻に関する条件を満足するコマーシャルに対して画像を合成することができる。
【発明の効果】
【００１７】
本発明によれば、ユーザが予め条件を設定することで、ユーザが希望したコマーシャルに対して画像を合成するデジタル放送受信装置を提供することができる。
【００１８】
更に、本発明によれば、コンテンツ情報を使用して条件の判断を行うため、より厳密な条件を設定することができるデジタル放送受信装置を提供することができる。更に、本発明によれば、同期信号を基準にして、画像を合成することができるため、コマーシャルの中で必要な期間のみ画像を合成できるデジタル放送受信装置を提供することができる。更に、本発明によれば、同期信号が検出されている期間においてのみ、画像を合成することができるため、コマーシャルの中で必要な期間のみ画像を合成できるデジタル放送受信装置を提供することができる。更に、本発明によれば、宣伝される会社及び内容の種類並びに放送時刻に関する条件を設定できるため、簡単に、コマーシャルを指定することができるデジタル放送受信装置を提供することができる。
【発明を実施するための最良の形態】
【００１９】
本発明の実施の形態を、図面を参照して説明する。尚、以下の実施例は本発明の具体例に過ぎず、本発明が以下の実施形態に限定されるものではない。
【００２０】
図１は、本実施例のデジタル放送受信装置の構成を示すブロック図である。本実施例のデジタル放送受信装置２は、受信部２１、復号部２２、受光部２３、時計２４、画像入力部２５、記憶部２６、合成部２７、制御部２８を備える。
【００２１】
受信部２１は、デジタル放送によって送信されたコンテンツのデータたるデジタル信号系列を受信する。復号部２２は、受信したデジタル信号系列から、コンテンツ情報、音声信号及び映像信号を復号する。受光部２３は、リモコン３から送信された制御信号を受信する。時計２４は、時刻をカウントする。画像入力部２５は、合成に使用する画像の画像データを入力する際に使用する。記憶部２６は、画像入力部２５を通して入力された画像データ、画像を合成するコマーシャルであるか否かを判断するための条件、及び条件毎に割り当てられた画像データを指定する情報を記憶する。合成部２７は、予め記憶部２６に記憶した画像データを読み出し、この画像データで表現される画像を復号部２２から出力された映像信号で表現される映像に合成する。制御部２８は、デジタル放送受信装置２の各部の制御及び同期信号の検出を行う。
【００２２】
図２は、リモコン３を示す図である。メニューキー３４を押下すると、メニューが表示される。方向キー（上方向キー３２ａ、右方向キー３２ｂ、下方向キー３２ｃ、左方向キー３２ｄ）は、押下した方向にカーソルを移動させたり、選択箇所を移動させたりする。決定キー３３を押下すると、その時点で選択された項目や状態に決定する。テンキー３５を押下すると、その押下したキーに対応する数字が入力される。電源キー３１は、デジタル放送受信装置２の電源をオン・オフする。
【００２３】
ユーザは、予め、合成に使用する画像の画像データを、画像入力部２５を使用して入力しておく。また、ユーザは、予め、送信されたコンテンツが画像を合成するコマーシャルであるか否かを判断するための条件を、リモコン３を使用して入力しておく。これらの入力された画像データと条件は、記憶部２６に記憶される。更に、ユーザは、予め、条件毎に割り当てられる画像データを、リモコン３を使用して指定しておく。この条件毎に割り当てられた画像データを指定する情報は、記憶部２６に記憶される。
【００２４】
図３乃至１１は、上述の事前設定を行う際の操作画面を示す説明図である。先ず、リモコン３のメニューキー３４を押下すると、図３に示す操作画面が表示される。次に、方向キー３２ａ、３２ｃを使用してカーソルを移動し、決定キー３３を押下して項目を決定する。ここで、カーソルを「コマーシャル合成」に移動し、決定キー３３を押下すると、図４に示す操作画面が表示される。
【００２５】
図４に示す操作画面において、ユーザは、方向キー３２ａ、３２ｃを使用してカーソルを移動し、決定キー３３を押下して項目を決定することで、その項目の設定を行うことができる。即ち、「合成の実施」を選択した場合は、図５に示す操作画面が表示され、合成を実施するか否かを設定でき、「合成する画像」を選択した場合は、図６に示す操作画面が表示され、合成する画像を設定でき、「合成する条件」を選択した場合は、図９に示す操作画面が表示され、合成する条件を設定でき、「メニューに戻る」を選択した場合は、図３に示す操作画面が表示される。
【００２６】
図５に示す操作画面において、ユーザは、方向キー３２ａ、３２ｃを使用してカーソルを移動し、決定キー３３を押下して項目を決定することで、合成自体を実施するか否かを設定できる。即ち、「合成を実施する」を選択した場合、合成を実施することになり、「合成を実施しない」を選択した場合、合成を実施しないことになる。また、「前画面に戻る」を選択すると、図４に示す操作画面が表示される。
【００２７】
図６に示す操作画面において、ユーザは、方向キー３２ａ、３２ｂ、３２ｃ、３２ｄを使用してカーソルを移動し、決定キー３３を押下して項目を決定することで、合成する画像を設定できる。即ち、「画像１」を選択した場合、図７に示す操作画面が表示され、画像１の設定ができ、「新規登録」を選択した場合、図８に示す操作画面が表示され、新規の画像を登録できる。また、「前画面に戻る」を選択すると、図４に示す操作画面が表示される。
【００２８】
図７に示す操作画面において、ユーザは、方向キー３２ａ、３２ｃを使用してカーソルを移動し、決定キー３３を押下して項目を決定することで、画像１を設定できる。即ち、「画像１を削除」を選択した場合、画像１が削除され、「画像１を変更」を選択した場合、画像１を変更する。また、「前画面に戻る」を選択すると、図６に示す操作画面が表示される。
【００２９】
図８に示す操作画面において、ユーザは、方向キー３２ａ、３２ｃを使用してカーソルを移動し、決定キー３３を押下して項目を決定することで、新規に登録する画像のソースを設定できる。即ち、選択されたソースから画像データが入力される。また、「前画面に戻る」を選択すると、図６に示す操作画面が表示される。ここで、「ＵＳＢ」、「入力端子１」、及び「入力端子２」が選択された場合は、画像入力部２５を通して画像データが入力されて、記憶部２６に記憶される。「ＨＤＤ」が選択された場合は、記憶部２６に記憶された画像データが使用される。
【００３０】
図９に示す操作画面において、ユーザは、方向キー３２ａ、３２ｃを使用してカーソルを移動し、決定キー３３を押下して項目を決定することで、合成する条件を設定できる。即ち、「条件１」を選択した場合、図１０に示す操作画面が表示され、条件１の設定ができ、「新規登録」を選択した場合、図１１に示す操作画面が表示され、新規の条件を登録できる。また、「前画面に戻る」を選択すると、図４に示す操作画面が表示される。
【００３１】
図１０に示す操作画面において、ユーザは、方向キー３２ａ、３２ｃを使用してカーソルを移動し、決定キー３３を押下して項目を決定することで、条件１を設定できる。即ち、「種類」を選択した場合、コマーシャルで宣伝される内容の種類を修正でき、「会社」を選択した場合、コマーシャルで宣伝される会社を修正でき、「時間」を選択した場合、コマーシャルが放送される時刻を修正でき、「画像」を選択した場合、この条件（条件１）を満足した場合に合成に使用される画像の指定を修正でき、「この条件を削除する」を選択した場合、この条件（条件１）を削除できる。また、「前画面に戻る」を選択すると、図９に示す操作画面が表示される。
【００３２】
図１１に示す操作画面において、ユーザは、方向キー３２ａ、３２ｃを使用してカーソルを移動し、決定キー３３を押下して項目を決定することで、新規に登録する条件を設定できる。即ち、選択された項目を設定する。また、「種類」、「会社」、「時間」、及び「画像」は、それぞれ、コマーシャルで宣伝される内容の種類、コマーシャルで宣伝される会社、コマーシャルが放送される時刻、及びこの条件（条件１）を満足した場合に合成に使用される画像である。
【００３３】
ここで、コマーシャルで宣伝される内容の種類は、例えば、乗り物、衣料、銀行、百貨店、等である。また、コマーシャルが放送される時刻は、開始時刻と終了時刻、曜日、月、等である。更に、条件を設定しない場合は、図９の条件２に示されるように、「＊」が表示される。
【００３４】
このようにして、予め、画像を合成するコマーシャルであるか否かを判断するための条件が設定されており、且つ画像を合成する設定が「合成を実施する」になっている場合、デジタル放送視聴の際に、図１２のフローチャートで示される処理が実行される。なお、この処理の制御は、制御部２８が行う。
【００３５】
ステップＳ１１０では、制御部２８は、送信されたコンテンツがコマーシャルであるか否かを判断し、コマーシャルの場合は、ステップＳ１２０に進み、そうでない場合は、「終了」に進む。コンテンツがコマーシャルであるか否かの判断は、「コンテンツ情報」に基づいて行われる。ここで、コンテンツ情報は、デジタル放送において送信されるものであり、コンテンツの種類、内容、放送時刻、合成可否情報、等の情報を含む。
【００３６】
ステップＳ１２０では、制御部２８は、受信しているコマーシャルが合成可能であるか否かを判断し、合成可能の場合は、ステップＳ１３０に進み、そうでない場合は、「終了」に進む。コマーシャルが合成可能であるか否かの判断は、コンテンツ情報に基づいて判断する。例えば、合成を許可しないコマーシャルの場合、送信者は、その旨（合成不可）を意味する信号を付与してコマーシャルを送信するため、合成は不可能となる。
【００３７】
ステップＳ１３０では、制御部２８は、制御部２８内部のカウンタＪに１を代入し、ステップＳ１４０に進む。
【００３８】
ステップＳ１４０では、制御部２８は、カウンタＪの値が、記憶部２６に記憶されている条件の数Ｎ以下であるか否かを判断し、Ｎ以下の場合は、ステップＳ１５０に進み、そうでない場合は、「終了」に進む。
【００３９】
ステップＳ１５０では、制御部２８は、コンテンツ情報を使用して、コマーシャルが記憶部２６に記憶されたＪ番目の条件を満足するか否かを判断し、満足する場合は、ステップＳ１６０に進み、そうでない場合は、ステップＳ２００に進む。
【００４０】
ステップＳ１６０では、合成部２７は、Ｊ番目の条件に割り当てられた画像データを、記憶部２６から読み出し、ステップＳ１７０に進む。記憶部２６には、条件毎に、割り当てられた画像データを指定する情報が記憶されているため、これを使用して、画像データを指定できる。例えば、条件１には画像１が、条件２には画像２が割り当てられている場合、条件１に対しては「１」が、条件２に対しては「２」が、それぞれ、画像データを指定する情報として記憶されている。
【００４１】
ステップＳ１７０では、制御部２８は、同期信号が検出されているか否かを判断し、検出されている場合は、ステップＳ１８０に進み、そうでない場合は、ステップＳ１９０に進む。ここで、同期信号は、コマーシャル送信中の、合成を行うべき時間の間だけ送信されるパルス信号である。
【００４２】
ステップＳ１８０では、合成部２７は、ステップＳ１６０において記憶部２６から読み出された画像データで表現される画像を、復号部２２から出力された映像信号で表現される映像に合成し、出力する。そして、ステップＳ１９０に進む。
【００４３】
ステップＳ１９０では、制御部２８は、コンテンツ（コマーシャル）が終了したか否かを判断し、終了した場合は、「終了」に進み、そうでない場合は、ステップＳ１７０に進む。
【００４４】
ステップＳ２００では、制御部２８は、カウンタＪの値を１だけ増やし、ステップＳ１４０に進む。
【００４５】
以上述べたように、本発明によれば、ユーザが希望するコマーシャルに対して合成を行うことができるデジタル放送受信装置を提供することができる。
【００４６】
なお、送信者は、同期信号をＢＭＬ（Ｂｒｏａｄｃａｓｔ  Ｍａｒｋｕｐ  Ｌａｎｇｕａｇｅ）に記載して送信し、デジタル放送受信装置では、その同期信号を識別することで、画像を合成するタイミングを確定することが可能である。
【００４７】
また、上述の処理に含まれる幾つかのステップにおいて使用されるコンテンツ情報は、ＭＰＥＧ２の場合、ＢＭＬに記載することが可能である。
【００４８】
また、ＭＰＥＧ４の場合、送信者が、合成されるコマーシャルのプロファイルを用意し、デジタル放送受信装置は、このプロファイルに合成を許可する記載がある場合に、画像を合成するようにしても良い。
【００４９】
また、上述の実施例は、同期信号が検出されている期間のみ、画像を合成するものであったが、同期信号が検出されてから予め指定された時間（例えば、２秒間）のみ画像を合成するようにしても良いし、同期信号が予め指定された回数検出された場合にのみ画像を合成するようにしても良い。
【図面の簡単な説明】
【００５０】
【図１】本発明の実施例の構成を示すブロック図である。
【図２】本発明の実施例のリモコンを示す説明図である。
【図３】本発明の実施例の操作画面を示す説明図である。
【図４】本発明の実施例の操作画面を示す説明図である。
【図５】本発明の実施例の操作画面を示す説明図である。
【図６】本発明の実施例の操作画面を示す説明図である。
【図７】本発明の実施例の操作画面を示す説明図である。
【図８】本発明の実施例の操作画面を示す説明図である。
【図９】本発明の実施例の操作画面を示す説明図である。
【図１０】本発明の実施例の操作画面を示す説明図である。
【図１１】本発明の実施例の操作画面を示す説明図である。
【図１２】本発明の実施例の処理の流れを示すフローチャートである。
【図１３】画像を合成した状態を説明する説明図である。
【符号の説明】
【００５１】
２  デジタル放送受信装置
３  リモコン
２１  受信部
２２  復号部
２３  受光部
２４  時計
２５  画像入力部
２６  記憶部
２７  合成部
２８  制御部
【図１】
2007228343.tif 000003
【図２】
2007228343.tif 000004
【図３】
2007228343.tif 000005
【図４】
2007228343.tif 000006
【図５】
2007228343.tif 000007
【図６】
2007228343.tif 000008
【図７】
2007228343.tif 000009
【図８】
2007228343.tif 000010
【図９】
2007228343.tif 000011
【図１０】
2007228343.tif 000012
【図１１】
2007228343.tif 000013
【図１２】
2007228343.tif 000014
【図１３】
2007228343.tif 000015